(57)【要約】【課題】上階の床下空間に空調装置を設置しなくても上階の床上空間の床暖房をすることができる空調システムを提供する。【解決手段】建物１の最下階の床下空間としての１階の床下空間２１に吹出型の空調装置であるエアコンディショナの屋内機４が設置された空調システムであって、屋内機４に設けられた上階床下用吹出部としての２階床下用吹出部４１と建物１の上階の床下空間としての２階の床下空間２２Ａとの間がダクト９１を介して接続されており、建物１の上階の床上空間としての２階の床上空間１２Ａの床暖房時には、屋内機４の２階床下用吹出部４１から吹き出された温風が、ダクト９１を通って、２階の床下空間２２Ａ内へ吹き出される構成とされている。【選択図】図１
2014152956.tif 000002
【特許請求の範囲】
【請求項１】
建物の最下階の床下空間に空調装置が設置された空調システムであって、
前記空調装置は、少なくとも温風を吹き出す吹出型の空調装置であり、
該空調装置に設けられた上階床下用吹出部と前記建物の上階の床下空間との間がダクトを介して接続されており、
前記建物の上階の床上空間の床暖房時には、前記空調装置の前記上階床下用吹出部から吹き出された温風が、前記ダクトを通って、前記上階の床下空間内へ吹き出されることを特徴とする空調システム。
【請求項２】
前記空調装置には、上階床下用吸込部が設けられており、該上階床下用吸込部と前記建物の前記上階の床下空間との間がダクトを介して接続されていることを特徴とする請求項１に記載の空調システム。
【請求項３】
前記建物の前記上階の床下空間とその直下の階の床上空間との間には断熱手段が設けられていることを特徴とする請求項１又は２に記載の空調システム。
【請求項４】
前記建物の前記上階の床下空間は、床暖房をする部分と床暖房をしない部分とに仕切手段で仕切られていることを特徴とする請求項１乃至３のいずれか１項に記載の空調システム。
【請求項５】
前記空調装置には、上階床上用吹出部が設けられており、該上階床上用吹出部と前記建物の前記上階の床上空間に面して設けられた給気口との間がダクトを介して接続されていることを特徴とする請求項１乃至４のいずれか１項に記載の空調システム。
【請求項６】
前記給気口は窓際に設けられていることを特徴とする請求項５に記載の空調システム。
【請求項７】
前記上階床上用吹出部と前記給気口との間の前記ダクトの途中に加湿器が設けられていることを特徴とする請求項５に記載の空調システム。
【請求項８】
前記空調装置には、上階床上用吸込部が設けられており、該上階床上用吸込部と前記建物の前記上階の床上空間に面して設けられた排気口との間がダクトを介して接続されていることを特徴とする請求項５乃至７のいずれか１項に記載の空調システム。
【請求項９】
前記空調装置は、ヒートポンプ式のエアコンディショナの屋内機であり、屋外に設置された屋外機と接続されていることを特徴とする請求項１乃至８のいずれか１項に記載の空調システム。
【請求項１０】
前記建物の前記最下階の床下空間には、最下階の床上空間を床暖房することが可能な空調装置が別途設置されていることを特徴とする請求項１乃至９のいずれか１項に記載の空調システム。
【請求項１１】
請求項１乃至１０のいずれか１項に記載の空調システムを備えていることを特徴とする建物。
【発明の詳細な説明】
【技術分野】
【０００１】
本発明は、建物の床下空間に空調装置が設置された空調システム、及びこの空調システムを備えた建物に関するものである。
【背景技術】
【０００２】
従来から、例えば、特許文献１に開示されたように、建物の最下階である１階の床下空間に空調装置を設置して１階の床上空間の床暖房をすることを可能とした空調システムが知られている。
【０００３】
また、この特許文献１に開示された空調システムは、建物の２階の床下空間にも空調装置を設置して２階の床上空間の床暖房をすることも可能としたものである。
【先行技術文献】
【特許文献】
【０００４】
【特許文献１】特許第３４４０４０９号公報
【発明の概要】
【発明が解決しようとする課題】
【０００５】
しかしながら、上記した特許文献１のような２階の床上空間も床暖房をすることも可能とした従来の空調システムでは、２階の床下空間にも空調装置を設置する必要があったが、例えば、ユニット建物などでは、２階の床下空間は１階の床下空間に比して極めて狭く、快適な床暖房を可能とする能力を有する空調装置を設置することが困難であった。
【０００６】
また、通常の軸組建物でも、２階の床下空間に快適な床暖房を可能とする能力を有する空調装置を設置するには、特注でこの２階の床下空間の高さを大きくする必要があった。
【０００７】
そこで、本発明は、上階の床下空間に空調装置を設置しなくても上階の床上空間の床暖房をすることができる空調システム、及びこの空調システムを備えた建物を提供することを目的としている。
【課題を解決するための手段】
【０００８】
前記目的を達成するために、本発明の空調システムは、建物の最下階の床下空間に空調装置が設置された空調システムであって、前記空調装置は、少なくとも温風を吹き出す吹出型の空調装置であり、該空調装置に設けられた上階床下用吹出部と前記建物の上階の床下空間との間がダクトを介して接続されており、前記建物の上階の床上空間の床暖房時には、前記空調装置の前記上階床下用吹出部から吹き出された温風が、前記ダクトを通って、前記上階の床下空間内へ吹き出されることを特徴とする。
【０００９】
ここで、前記空調装置には、上階床下用吸込部が設けられており、該上階床下用吸込部と前記建物の前記上階の床下空間との間がダクトを介して接続されているとよい。
【００１０】
また、前記建物の前記上階の床下空間とその直下の階の床上空間との間には断熱手段が設けられているとよい。
【００１１】
さらに、前記建物の前記上階の床下空間は、床暖房をする部分と床暖房をしない部分とに仕切手段で仕切られていてもよい。
【００１２】
また、前記空調装置には、上階床上用吹出部が設けられており、該上階床上用吹出部と前記建物の前記上階の床上空間に面して設けられた給気口との間がダクトを介して接続されているとよい。
【００１３】
さらに、前記給気口は窓際に設けられているとよい。
【００１４】
また、前記上階床上用吹出部と前記給気口との間の前記ダクトの途中に加湿器が設けられていてもよい。
【００１５】
さらに、前記空調装置には、上階床上用吸込部が設けられており、該上階床上用吸込部と前記建物の前記上階の床上空間に面して設けられた排気口との間がダクトを介して接続されているとよい。
【００１６】
また、前記空調装置は、ヒートポンプ式のエアコンディショナの屋内機であり、屋外に設置された屋外機と接続されているとよい。
【００１７】
さらに、前記建物の前記１階の床下空間には、１階の床上空間を床暖房することが可能な空調装置が別途設置されているとよい。
【００１８】
本発明の建物は、上記した本発明の空調システムを備えていることを特徴とする。
【発明の効果】
【００１９】
このような本発明の空調システムは、建物の最下階の床下空間に空調装置が設置された空調システムであって、空調装置は、少なくとも温風を吹き出す吹出型の空調装置であり、空調装置に設けられた上階床下用吹出部と建物の上階の床下空間との間がダクトを介して接続されており、建物の上階の床上空間の床暖房時には、空調装置の上階床下用吹出部から吹き出された温風が、ダクトを通って、上階の床下空間内へ吹き出される構成とされている。
【００２０】
上記した構成なので、上階の床下空間に空調装置を設置しなくても上階の床上空間の床暖房をすることができる。
【００２１】
ここで、空調装置には、上階床下用吸込部が設けられており、上階床下用吸込部と建物の上階の床下空間との間がダクトを介して接続されている場合は、上階床下用吹出部から吹き出された温風が上階床下用吸込部から吸い込まれることにより、上階の床下空間内で暖気が隅々まで循環し、上階の床上空間の床暖房をムラのないものとすることができる。
【００２２】
また、建物の上階の床下空間とその直下の階の床上空間との間には断熱手段が設けられている場合は、上階の床下空間内の熱が直下の階の床上空間に逃げないので、より効率的な上階の床上空間の床暖房をすることができる。
【００２３】
さらに、建物の上階の床下空間は、床暖房をする部分と床暖房をしない部分とに仕切手段で仕切られている場合は、床暖房を必要としない余計な部分を暖めないで済むので、さらにより効率的な上階の床上空間の床暖房をすることができる。
【００２４】
また、空調装置には、上階床上用吹出部が設けられており、上階床上用吹出部と建物の上階の床上空間に面して設けられた給気口との間がダクトを介して接続されている場合は、上階の床上空間内を、即効性を有する暖冷房で暖めたり、冷やしたりすることができる。
【００２５】
さらに、給気口は窓際に設けられている場合は、窓の結露防止とコールドドラフトの防止を図ることができる。
【００２６】
また、上階床上用吹出部と給気口との間のダクトの途中に加湿器が設けられている場合は、上階の床上空間を適度な湿度にすることができる。
【００２７】
さらに、空調装置には、上階床上用吸込部が設けられており、上階床上用吸込部と建物の上階の床上空間に面して設けられた排気口との間がダクトを介して接続されている場合は、上階床上用吹出部から吹き出された温風又は冷風が上階床上用吸込部から吸い込まれることにより、上階の床上空間内で暖気又は冷気が隅々まで循環し、上階の床上空間の即効性を有する暖房又は冷房をムラのないものとすることができる。
【００２８】
また、空調装置は、ヒートポンプ式のエアコンディショナの屋内機であり、屋外に設置された屋外機と接続されている場合は、ヒートポンプを用いるので、省エネルギー性能に優れたものとすることができる。
【００２９】
さらに、建物の最下階の床下空間には、最下階の床上空間を床暖房することが可能な空調装置が別途設置されている場合は、最下階の床上空間の床暖房と上階の床上空間の床暖房とを１台の空調装置で行うのに比して、空調装置への負荷が小さくて済み、長期供用に耐え得る。
【００３０】
このような本発明の建物は、上記した本発明の空調システムを備えた構成とされている。
【００３１】
上記した構成なので、上記した本発明の空調システムの効果を奏する建物とすることができる。
【図面の簡単な説明】
【００３２】
【図１】実施例の空調システムを備えた建物の概略構成を示す説明図である。
【発明を実施するための形態】
【００３３】
以下、本発明を実施するための形態を、図面に示す実施例に基づいて説明する。
【実施例】
【００３４】
先ず、実施例の構成について説明する。
【００３５】
図１は、実施例の空調システムを備えた建物１の概略構成を示している。
【００３６】
この建物１は、建物基礎１Ｂの上に建物本体１Ａが構築されてなる。
【００３７】
ここで、建物基礎１Ｂは、その上部が建物１の最下階である１階の床部１ａで塞がれており、内部に最下階の床下空間としての１階の床下空間２１が形成されている。
【００３８】
そして、この建物基礎１Ｂの立ち上がり部の内側面には、基礎断熱材２１ａが貼設されており、１階の床下空間２１内の暖気の熱が屋外に極力漏れない断熱構造となっている。
【００３９】
また、建物本体１Ａは、その内部に屋内空間１０が形成されている。
【００４０】
そして、この屋内空間１０は、１階の天井部１ｂ及び２階の床部１ｃにより、最下階の床上空間としての１階の床上空間１１と上階の床上空間としての２階の床上空間１２とに区画されている。
【００４１】
さらに、２階の床上空間１２は、中間壁部１ｄにより、床上空間１２Ａと床上空間１２Ｂとに区画されている。
【００４２】
ここで、この建物１は、グループホーム用に設計されたものであり、床上空間１２Ａは、人が多く集まるリビングルームとして利用され、床上空間１２Ｂは、個室として利用され、平面視すると、この床上空間１２Ｂは、床上空間１２Ａの周囲に複数設けられている。
【００４３】
また、１階の天井部１ｂと２階の床部１ｃとの間には、上階の床上空間としての２階の床下空間２２が形成されている。
【００４４】
さらに、２階の床下空間２２は、仕切手段としての仕切壁部１ｅにより、床上空間１２Ａの直下の床下空間２２Ａと、床上空間１２Ｂの直下の床下空間２２Ｂとに仕切られている。
【００４５】
そして、１階の天井部１ｂの床下空間２２Ａ側の上面には、断熱手段としての断熱材２２ａが貼設されており、２階の床下空間２２Ａ内の暖気の熱が１階の床上空間１１に極力漏れない断熱構造となっている。
【００４６】
そのうえで、１階の床下空間２１には、空調装置としてのヒートポンプ式のエアコンディショナの屋内機３，４が設置されている。
【００４７】
そして、これら屋内機３，４は、建物１の屋外に設置した屋外機５と熱媒循環管でそれぞれ接続されている。
【００４８】
ここで、屋内機３は、温風のみを吹き出し可能な最下階床下用吹出部としての１階床下用吹出部３１と、温風及び冷風を吹き出し可能な最下階床上用吹出部としての１階床上用吹出部３２と、吸込部３３とを有している。
【００４９】
なお、１階床下用吹出部３１と、１階床上用吹出部３２と、吸込部３３とには、図示省略の開閉弁が設けられており、コントローラによって選択した運転に適した開閉状態となるように制御部によって制御される。
【００５０】
さらに、１階の床部１ａには、グリル付きの、給気口６１Ａと、排気口７と、窓際の給気口６１Ｂとが設けられている。
【００５１】
そして、屋内機３の１階床上用吹出部３２と給気口６１Ａとの間が、途中に加湿器Ｋ１が設けられたダクト８１を介して接続されている。
【００５２】
また、屋内機３の吸込部３３と排気口７との間が、ダクト８２を介して接続されている。
【００５３】
なお、給気口６１Ｂは、１階床下用吹出部３１から温風が吹き出される１階の床上空間１１の床暖房時に、窓際に温風を吹き出し、窓の結露防止とコールドドラフトの防止も図ることができる。
【００５４】
さらに、屋内機４は、温風のみを吹き出し可能な上階床下用吹出部としての２階床下用吹出部４１と、温風及び冷風を吹き出し可能な上階床上用吹出部としての２階床上用吹出部４２Ａ，４２Ｂと、上階床下用吸込部としての２階床下用吸込部４３と、上階床上用吸込部としての２階床上用吸込部４４とを有している。
【００５５】
なお、２階床下用吹出部４１と、２階床上用吹出部４２Ａ，４２Ｂと、２階床下用吸込部４３と、２階床上用吸込部４４とには、図示省略の開閉弁が設けられており、コントローラによって選択した運転に適した開閉状態となるように制御部によって制御される。
【００５６】
さらに、２階の床部１ｃには、グリル付きの、窓際の給気口６２Ａと、それより建物１の中心寄りの給気口６２Ｂと、排気口７０とが設けられている。
【００５７】
そして、屋内機４の２階床下用吹出部４１と２階の床下空間２２Ａとの間が、ダクト９１を介して接続されている。
【００５８】
また、屋内機４の２階床下用吸込部４３と２階の床下空間２２Ａとの間が、ダクト９２を介して接続されている。
【００５９】
さらに、屋内機４の２階床上用吹出部４２Ａと窓際の給気口６２Ａとの間が、ダクト９３を介して接続されている。
【００６０】
また、屋内機４の２階床上用吹出部４２Ｂと給気口６２Ｂとの間が、途中に加湿器Ｋ２が設けられたダクト９４を介して接続されている。
【００６１】
さらに、屋内機４の２階床上用吸込部４４と排気口７０との間が、ダクト９５を介して接続されている。
【００６２】
なお、ダクト９１〜９５は、１階の床上空間１１の側面を形成する外壁部１ｆと内壁部１ｇとの間をパイプスペースとして利用しているので、意匠的美観を損ねることはない。
【００６３】
また、２階の床上空間１２Ｂ内には、別途、空調装置としてのヒートポンプ式のエアコンディショナの屋内機３０が設置されており、屋外に設置した屋外機５０と熱媒循環管で接続されている。
【００６４】
なお、加湿器Ｋ２を用いて暖房運転した際には、加湿された空気は、中間壁部１ｄに設けられたドアの隙間などから行き来するので、２階の床上空間１２Ｂ内も、２階の床上空間１２Ａと略同様に調湿することができる。
【００６５】
上記した構成なので、コントローラを操作することにより、屋内機３，４は、床暖房と、即効性を有する暖房とをすることができ、また、これらを組み合わせた暖房もすることができ、即効性を有する冷房をすることもできる。
【００６６】
次に、実施例の作用効果について説明する。
【００６７】
このような実施例の空調システムは、建物１の最下階の床下空間としての１階の床下空間２１に吹出型の空調装置であるエアコンディショナの屋内機４が設置された空調システムであって、屋内機４に設けられた上階床下用吹出部としての２階床下用吹出部４１と建物１の上階の床下空間としての２階の床下空間２２Ａとの間がダクト９１を介して接続されており、建物１の上階の床上空間としての２階の床上空間１２Ａの床暖房時には、屋内機４の２階床下用吹出部４１から吹き出された温風が、ダクト９１を通って、２階の床下空間２２Ａ内へ吹き出される構成とされている。
【００６８】
上記した構成なので、２階の床下空間２２Ａに空調装置を設置しなくても２階の床上空間１２Ａの床暖房をすることができる。
【００６９】
ここで、屋内機４には、上階床下用吸込部としての２階床下用吸込部４３が設けられており、２階床下用吸込部４３と建物１の２階の床下空間２２Ａとの間がダクト９２を介して接続されている。
【００７０】
このため、２階床下用吹出部４１から吹き出された温風が２階床下用吸込部４３から吸い込まれることにより、２階の床下空間２２Ａ内で暖気が隅々まで循環し、２階の床上空間１２Ａの床暖房をムラのないものとすることができる。
また、建物１の２階の床下空間２２Ａとその直下の１階の床上空間１１との間には断熱手段としての断熱材２２ａが設けられている。
【００７１】
このため、２階の床下空間２２Ａ内の熱が直下の１階の床上空間１１に逃げないので、より効率的な２階の床上空間１２Ａの床暖房をすることができる。
さらに、建物１の２階の床下空間２２は、床暖房をする部分と床暖房をしない部分とに仕切手段としての仕切壁部１ｅで仕切られている。
【００７２】
このため、床暖房を必要としない余計な部分を暖めないで済むので、さらにより効率的な２階の床上空間１２Ａの床暖房をすることができる。
【００７３】
また、屋内機４には、上階床上用吹出部としての２階床上用吹出部４２Ａ，４２Ｂが設けられており、２階床上用吹出部４２Ａ，４２Ｂと建物１の２階の床上空間１２Ａの床部１ｃに設けられた給気口６２Ａ，６２Ｂとの間がダクト９３，９４を介してそれぞれ接続されている。
【００７４】
このため、２階の床上空間１２Ａ内を、即効性を有する暖冷房で暖めたり、冷やしたりすることができる。
【００７５】
さらに、給気口６２Ａは窓際に設けられている。
【００７６】
このため、窓の結露防止とコールドドラフトの防止を図ることができる。
【００７７】
また、２階床上用吹出部４２Ｂと給気口６２Ｂとの間のダクトの途中に加湿器Ｋ２が設けられている。
【００７８】
このため、２階の床上空間１２Ａを適度な湿度にすることができる。
【００７９】
さらに、屋内機４には、上階床上用吸込部としての２階床上用吸込部４４が設けられており、２階床上用吸込部４４と建物１の２階の床上空間１２Ａの床部１ｃに設けられた排気口７０との間がダクト９５を介して接続されている。
【００８０】
このため、２階床上用吹出部４２Ａ，４２Ｂから吹き出された温風又は冷風が２階床上用吸込部４４から吸い込まれることにより、２階の床上空間１２Ａ内で暖気又は冷気が隅々まで循環し、２階の床上空間１２Ａの即効性を有する暖房又は冷房をムラのないものとすることができる。
【００８１】
さらに、屋内機４は、ヒートポンプ式のエアコンディショナの屋内機であり、屋外に設置された屋外機５と接続されている。
【００８２】
このため、ヒートポンプを用いるので、省エネルギー性能に優れたものとすることができる。
【００８３】
また、建物１の１階の床下空間２１には、最下階の床上空間としての１階の床上空間１１を床暖房することが可能な空調装置としてのエアコンディショナの屋内機３が別途設置されている。
【００８４】
このため、１階の床上空間１１の床暖房と２階の床上空間１２Ａの床暖房とを１台の空調装置で行うのに比して、空調装置としての屋内機３，４への負荷が小さくて済み、長期供用に耐え得る。
【００８５】
このような実施例の建物１は、上記した実施例の空調システムを備えた構成とされている。
【００８６】
上記した構成なので、上記した実施例の空調システムの作用効果を奏する建物とすることができる。
【００８７】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【００８８】
例えば、上記した実施例では、建物１の２階の床上空間１２Ａの床暖房をすることができるようにして実施したが、これに限定されず、例えば、建物が３階建ての場合は、３階の床上空間の床暖房をすることができるようにして実施してもよい。
【００８９】
また、上記した実施例では、空調装置として２台の屋内機３，４を用いて実施したが、これに限定されず、例えば、空調装置にそれほど負荷がかからない場合などは、１台の空調装置で実施してもよい。
【００９０】
さらに、上記した実施例では、断熱手段としての断熱材２２ａを、２階の床下空間２２Ａ内で、１階の天井部１ｂの上面の略全体に貼設して実施したが、これに限定されず、例えば、１階の天井部１ｂを構成する部材間を断熱材で塞ぐ程度で実施してもよい。
【００９１】
また、上記した実施例では、ダクト９１〜９５を１階の床上空間１１を形成する外壁部１ｆと内壁部１ｇとの間をパイプスペースに利用して実施したが、これに限定されず、例えば、中間壁部内の中空部や柱内の中空部などをパイプスペースに利用して実施してもよい。
【００９２】
さらに、上記した実施例では、グループホーム用に設計した建物１に適用して実施したが、これに限定されず、様々な用途の建物に適用して実施することができる。
【００９３】
また、本発明の最下階の床下空間とは、本発明の空調システムのシステム系が関連する建物の最下階の床下空間のことを指す。
【００９４】
例えば、建物に、本発明の空調システムのシステム系と関連しない地下室があり、この地下室に床下空間がある場合でも、これを本発明の建物の最下階の床下空間とは定義しない。
【符号の説明】
【００９５】
１      建物
１Ａ    建物本体
１Ｂ    建物基礎
１ａ    １階の床部
１ｂ    １階の天井部
１ｃ    ２階の床部
１ｄ    中間壁部
１ｅ    仕切壁部（仕切手段）
１ｆ    外壁部
１ｇ    内璧部
１０    屋内空間
１１    １階の床上空間（最下階の床上空間）
１２    ２階の床上空間（上階の床上空間）
１２Ａ  ２階の床上空間（上階の床上空間）
１２Ｂ  ２階の床上空間（上階の床上空間）
２１    １階の床下空間（最下階の床下空間）
２１ａ  基礎断熱材
２２    ２階の床下空間（上階の床下空間）
２２Ａ  ２階の床下空間（上階の床下空間）
２２Ｂ  ２階の床下空間（上階の床下空間）
２２ａ  断熱材（断熱手段）
３      エアコンディショナの屋内機（空調装置）
３１    １階床下用吹出部（最下階床下用吹出部）
３２    １階床上用吹出部（最下階床上用吹出部）
３３    吸込部
３０    エアコンディショナの屋内機（空調装置）
４      エアコンディショナの屋内機（空調装置）
４１    ２階床下用吹出部（上階床下用吹出部）
４２Ａ  ２階床上用吹出部（上階床上用吹出部）
４２Ｂ  ２階床上用吹出部（上階床上用吹出部）
４３    ２階床下用吸込部（上階床下用吸込部）
４４    ２階床上用吸込部（上階床上用吸込部）
５      屋外機
５０    屋外機
６１Ａ  給気口
６１Ｂ  給気口
６２Ａ  給気口
６２Ｂ  給気口
７      排気口
７０    排気口
８１    ダクト
８２    ダクト
９１    ダクト
９２    ダクト
９３    ダクト
９４    ダクト
９５    ダクト
Ｋ１    加湿器
Ｋ２    加湿器
【図１】
2014152956.tif 000003